(57)【要約】【課題】  着信時に通知された発信者番号基づいて電話帳情報を検索し、発信者の名前等を表示するときに、着信した電話装置以外の撮像素子付き装置の電話帳情報を利用可能にする。【解決手段】  発信者番号が通知されると、電話帳情報記憶部１６を検索して、その発信者番号と一致する電話番号が存在するか否かを判定する。存在した場合は、発信者番号及びその発信者の名前等の電話帳情報を表示部１３に表示させ、存在しなかった場合は、その発信者番号を一次元又は二次元のバーコードに変換して表示部１３に表示させる。表示されたバーコードを図示されていないカメラ付き携帯電話装置で撮像し、電話番号に変換して、その携帯電話装置の電話帳情報記憶部を検索し、一致する電話番号が存在した場合は、その携帯電話装置の表示部で電話帳情報を表示する。【選択図】  図１
2006100929.tif 000002
【特許請求の範囲】
【請求項１】
発信者の電話番号を検出する手段と、前記検出した電話番号をバーコードに変換する手段と、前記バーコードを表示する表示手段とを備えたことを特徴とする電話装置。
【請求項２】
請求項１記載の電話装置において、電話帳情報記憶手段と、前記検出した電話番号が前記電話帳情報記憶手段に記憶されているか否かを判定する手段と、前記判定手段の判定結果に応じて前記表示手段に表示を行わせる手段とを備えたことを特徴とする電話装置。
【請求項３】
発信者の電話番号を検出する手段と、前記検出した電話番号をバーコードに変換する手段と、前記バーコードを表示する表示手段とを備えた電話装置と、
撮像手段と、電話帳情報記憶手段と、前記撮像手段で撮像した画像中のバーコードを認識する手段と、該認識したバーコードを電話番号に変換する手段と、該変換した電話番号が前記電話帳情報記憶手段に記憶されているか否かを判定する判定手段と、該判定手段により前記変換した電話番号が前記電話帳情報記憶手段に記憶されていると判定されたときに該記憶されている電話番号に対応する電話帳情報を表示する手段とを備えた画像入力処理装置と
からなることを特徴とする発信者番号表示システム。
【発明の詳細な説明】
【技術分野】
【０００１】
本発明は着信時に通知された発信者番号に基づいて電話帳情報を検索し、予め登録されている発信者の名前等の電話帳情報を表示するときに、着信した電話装置の電話帳情報以外の他の装置の電話帳情報を利用可能にした電話装置及び発信者番号表示システムに関する。
【背景技術】
【０００２】
発信者の電話装置から着信するときに、交換機から着信者の電話装置に対して、発信者番号（発信者の電話番号）を通知するサービスが行われている。また、このサービスに対応した電話装置において、発信者番号が通知されたときに、予め電話番号と名前とを対応付けて記憶した電話帳情報記憶部を検索し、通知された発信者番号が電話帳情報記憶部に予め記憶されていた場合はその名前を表示する電話装置も知られている（特許文献１参照）。
【特許文献１】特開平８−７９３３６号公報
【発明の開示】
【発明が解決しようとする課題】
【０００３】
携帯電話装置は、その小型化、高機能化、及び低価格化の進展により急速に普及台数が伸びており、カメラ付き携帯電話装置と呼ばれる撮像素子を備えた携帯電話装置も急速に普及しつつある。そして、これらの携帯電話装置においても、特許文献１に記載されたような発信者番号に基づく電話帳情報の検索及び名前表示が行われている。
【０００４】
しかしながら、特許文献１に記載の電話装置では、発信者番号が予め電話帳情報記憶部に記憶されていないものであった場合はその発信者番号を表示するだけであるから、例えば固定電話に対する着信時に通知された発信者番号がその固定電話装置に電話帳情報として記憶されていなかった場合、携帯電話装置に電話帳情報として記憶されていたとしても、それを利用して発信者の名前を表示することができない。携帯電話装置に着信した場合も同様である。
【０００５】
本発明は、このような問題点に鑑みてなされたものであり、その目的は、着信時に通知された発信者番号基づいて電話帳情報を検索し、発信者の名前等を表示するときに、着信した電話装置以外の撮像素子付き装置の電話帳情報を利用可能にすることである。
【課題を解決するための手段】
【０００６】
請求項１に係る発明は、発信者の電話番号を検出する手段と、前記検出した電話番号をバーコードに変換する手段と、前記バーコードを表示する表示手段とを備えたことを特徴とする電話装置である。
請求項２に係る発明は、請求項１記載の電話装置において、電話帳情報記憶手段と、前記検出した電話番号が前記電話帳情報記憶手段に記憶されているか否かを判定する手段と、前記判定手段の判定結果に応じて前記表示手段に表示を行わせる手段とを備えたことを特徴とする電話装置である。
請求項３に係る発明は、発信者の電話番号を検出する手段と、前記検出した電話番号をバーコードに変換する手段と、前記バーコードを表示する表示手段とを備えた電話装置と、撮像手段と、電話帳情報記憶手段と、前記撮像手段で撮像した画像中のバーコードを認識する手段と、該認識したバーコードを電話番号に変換する手段と、該変換した電話番号が前記電話帳情報記憶手段に記憶されているか否かを判定する判定手段と、該判定手段により前記変換した電話番号が前記電話帳情報記憶手段に記憶されていると判定されたときに該記憶されている電話番号に対応する電話帳情報を表示する手段とを備えた画像入力処理装置とからなることを特徴とする発信者番号表示システムである。
【０００７】
（作用）
本発明に係る電話装置によれば、発信者の電話番号を検出し、バーコードに変換して表示する。
また、本発明に係る発信者番号表示システムによれば、発信者の電話番号から変換したバーコードを電話装置で表示し、表示したバーコードを画像入力処理装置で撮像し、画像を処理してバーコードを認識し、数字列に変換して発信者の電話番号情報を取得し、その電話番号情報に基づいて電話帳情報を検索し、表示する。
【発明の効果】
【０００８】
本発明によれば、発信者の電話番号をバーコードに変換して表示するので、着信時に通知された発信者番号基づいて電話帳情報を検索し、発信者の名前等を表示するときに、撮像素子及び電話帳情報記憶手段を備えた装置でそのバーコードを読み取って発信者の電話番号情報を取得し、その装置の電話帳情報を利用することが可能になる。また、バーコードの認識処理は数字の認識処理よりも簡単であるため、発信者の電話番号を表示する場合と比較すると、表示された情報から発信者の電話番号情報を取得する装置を低コストで実現できる。
【発明を実施するための最良の形態】
【０００９】
以下、本発明の実施形態について図面を参照して説明する。
図１及び図２は本発明の実施形態に係る電話装置の構成を説明するための図である。ここで、図１は固定電話装置を示し、図２は携帯電話装置を示す。また、図１の固定電話装置１のユーザと図２の携帯電話装置４のユーザとは同一である。
【００１０】
図１に示すように、固定電話装置１は有線及び無線の公衆電話回線２を介して他の固定又は携帯電話装置３と通信可能である。固定電話装置１は、この固定電話装置１全体の制御及び各種処理を行う主制御部１１と、数字キーや各種機能キー等からなる操作部１２と、ＬＣＤ等からなる表示部１３と、公衆電話回線２を介して固定又は携帯電話装置３との間の通信を行う通信制御部１４と、通信制御部１４に着信した信号から発信元の発信者電話番号を検出する発信者番号検出部１５と、電話をかける相手の名前等に関連付けて電話番号を記憶するための電話帳情報記憶部１６と、電話番号の数字列を一次元又は二次元のバーコードに変換するための電話番号／バーコード変換テーブル１７とを備えている。
【００１１】
図２に示すように、携帯電話装置４は、この携帯電話装置４全体の制御及び各種処理を行う制御部４１と、数字キーや各種機能キー等からなる操作部４２と、ＬＣＤ等からなる表示部４３と、電波の送受信を行うアンテナ４４と、アンテナ４４に接続された無線部４５と、無線部４５に接続されたベースバンド部４６と、ベースバンド部４６に接続されたスピーカ４７及びマイク４８と、電話をかける相手の名前等に関連付けて電話番号を記憶するための電話帳情報記憶部４９と、カメラ部５０とを備えている。
【００１２】
以上の構成を有する固定電話装置１及び携帯電話装置４の動作を説明する。
固定電話装置１に対する公衆電話回線２から着信は通信制御部１４で検出され、主制御部１１へ通知される。また、着信時に通知された発信者番号は発信者番号検出部１５で検出され、主制御部１１へ送られる。主制御部１１は着信検出が通知されると（ステップＳ１でYES ）、着信処理を行う（ステップＳ２）。次に、主制御部１１は、電話帳情報記憶部１６を検索して（ステップＳ３）、着信時に通知された発信者番号と一致する電話番号が存在するか否かを判定する（ステップＳ４）。そして、存在した場合は、発信者番号及び電話帳情報記憶部１６に登録されているその発信者の名前等の電話帳情報を表示部１３に表示させ（ステップＳ５）、着信応答処理へ移行する。また、存在しなかった場合は、電話番号／バーコード変換テーブル１７を参照して、その発信者番号を一次元又は二次元のバーコードに変換した後に（ステップＳ６）、そのバーコード及び発信者番号を表示部１３の画面１３ａに表示させ（ステップＳ７）、着信応答処理へ移行する。
【００１３】
このように、本実施形態に係る固定電話装置１では、着信時に通知された発信者番号が電話帳情報記憶部１６に予め登録されているときは、発信者番号及び発信者の名前等の電話帳情報を表示部１３で表示し、着信時に通知された発信者番号が電話帳情報記憶部１６に登録されていないときは、発信者番号及びそのバーコードを表示部１３で表示する。なお、この固定電話装置１は操作部１２からの設定操作により、その他の表示態様、例えば着信時に通知された発信者番号が電話帳情報記憶部１６に登録されていないときにバーコードのみ、或いは発信者番号のみを表示するように動作させることもできる。
【００１４】
携帯電話装置４を所持しているユーザは、固定電話装置１に着信鳴動があり、その表示部１３の画面１３ａに発信者番号及びバーコードが表示されている場合、操作部４２の所定のキーを操作し、カメラ部５０を動作させてバーコードを撮像した後にバーコードの検索操作を行う。制御部４１はバーコード検索操作があると（ステップＳ１１でYES）、カメラ部５０で撮像されたビデオ信号からバーコードを抽出して認識し（ステップＳ１２）、認識したバーコードを数字列（電話番号）に変換する（ステップＳ１３）。次に、制御部４１は電話帳情報記憶部４９を検索して（ステップＳ１４）、バーコードから変換した電話番号と一致する電話番号が存在するか否かを判定する（ステップＳ１５）。そして、存在した場合は、その電話番号及び電話帳情報記憶部４９に登録されているその発信者の名前等の電話帳情報を表示部４３に表示させ（ステップＳ１６）、処理を終える。また、存在しなかった場合は、表示部４３にエラー表示を行わせ（ステップＳ１７）、処理を終える。
【００１５】
このように、本実施形態に係る電話装置によれば、固定電話装置１に着信した発信者の電話番号が固定電話装置１に電話帳情報として登録されていない電話番号であった場合は、携帯電話装置４の電話帳情報を検索し、携帯電話装置４に電話帳情報として登録されていた場合は、携帯電話装置４で表示するように構成したので、発信者の電話番号に対応する名前等を表示する確実性が高まる。
【００１６】
なお、以上の実施形態では、固定電話装置に対する着信時に通知された発信者番号を検索するときに、カメラ付きの携帯電話装置の電話帳情報を利用可能にしたものであるが、逆に、携帯電話装置に対する着信時に通知された発信者番号を検索するときに、撮像素子（ラインセンサ等）付きの固定電話装置の電話帳情報を利用可能に構成することもできる。また、本発明はファクシミリ通信機能付きの固定電話装置や動画像伝送機能付きの固定電話装置にも適用できる。さらに、以上の実施形態では、表示部１３に電話番号及びバーコードを表示したが、バーコードのみを表示してもよい。
【図面の簡単な説明】
【００１７】
【図１】本発明の実施形態に係る固定電話装置の構成を示す図である。
【図２】本発明の実施形態に係る携帯電話装置の構成を示す図である。
【図３】本発明の実施形態に係る固定電話装置の動作を示すフローチャートである。
【図４】本発明の実施形態に係る携帯電話装置の動作を示すフローチャートである。
【符号の説明】
【００１８】
１・・・固定電話装置、４・・・携帯電話装置、１３、４３・・・表示部、１５・・・発信者番号検出部、１６、４９・・・電話帳情報記憶部、５０・・・カメラ部。
【図１】
2006100929.tif 000003
【図２】
2006100929.tif 000004
【図３】
2006100929.tif 000005
【図４】
2006100929.tif 000006